(57)【要約】  コストの高騰を来すことなく音声の良好な出力状態を確保する。  振動板と、磁気回路と、振動板の内周部が取り付けられ磁気回路により軸方向へ変動されるボビンと、振動板に取り付けられボビンの軸方向においてボビンに対向して位置されたキャップとを備え、ボビンの中心軸が水平面又は鉛直面に対して傾斜した状態で配置され、キャップがボビンの中心軸に対して偏心した形状に形成された。これにより、ボビンの中心軸が水平面又は鉛直面に対して傾斜した状態でキャップが中心軸に対して偏心されるため、傾斜した方向において指向方向を自在に制御することが可能になり、良好な指向特性が得られ、コストの高騰を来すことなく音声の良好な出力状態を確保することができる。
2017183370.tif 000002
【特許請求の範囲】
【請求項１】
振動板と、
磁気回路と、
前記振動板の内周部が取り付けられ前記磁気回路により軸方向へ変動されるボビンと、
前記振動板に取り付けられ前記ボビンの軸方向において前記ボビンに対向して位置されたキャップとを備え、
前記ボビンの中心軸が水平面又は鉛直面に対して傾斜した状態で配置され、
前記キャップが前記ボビンの中心軸に対して偏心した形状に形成された
スピーカーユニット。
【請求項２】
前記中心軸と前記キャップの偏心点とを結ぶ方向が前記中心軸の水平面又は鉛直面に対する傾斜方向に一致された
請求項１に記載のスピーカーユニット。
【請求項３】
前記キャップが前記中心軸に対して前方側に偏心した形状に形成された
請求項２に記載のスピーカーユニット。
【請求項４】
前記キャップの外面上における前記偏心点を通る所定の線分が、前記偏心点を基準にして一方が円弧状に形成され他方が前記偏心点から離隔するに従って曲率が大きくなる曲線に形成された
請求項３に記載のスピーカーユニット。
【請求項５】
前記所定の線分が左右方向における中央面に含まれる線分とされた
請求項４に記載のスピーカーユニット。
【請求項６】
前記偏心点を基準として後側の線分が円弧状に形成され、
前記偏心点を基準として前側の線分が前記偏心点から離隔するに従って曲率が大きくなる曲線に形成された
請求項５に記載のスピーカーユニット。
【請求項７】
水平面又は鉛直面に対する前記中心軸の傾斜角度を角度Ｘとし、
前記キャップの前記中心軸と前記偏心点とを結ぶ方向における一端と他端を結ぶ線分を結合線とし、
前記結合線の中点を通り前記中心軸の軸方向に延びる線分を線分Ｂとし、
前記中点を基準として前記線分Ｂを（９０°−角度Ｘ）／２の角度傾けた線分を線分Ｃとしたときに、
前記線分Ｃ上に前記偏心点が存在する
請求項３に記載のスピーカーユニット。
【請求項８】
前記振動板のエッジが取り付けられるフレームを有し、
前記フレームには音響装置の筐体に前記傾斜した状態で取り付けられる被取付部が設けられた
請求項１に記載のスピーカーユニット。
【請求項９】
音声を出力するスピーカーユニットと前記スピーカーユニットが取り付けられた筐体とを備え、
前記スピーカーユニットは、
振動板と、
磁気回路と、
前記振動板の内周部が取り付けられ前記磁気回路により軸方向へ変動されるボビンと、
前記振動板に取り付けられ前記ボビンの軸方向において前記ボビンに対向して位置されたキャップとを備え、
前記ボビンの中心軸が水平面又は鉛直面に対して傾斜した状態で配置され、
前記キャップが前記ボビンの中心軸に対して偏心した形状に形成された
音響装置。
【請求項１０】
前記中心軸と前記キャップの偏心点とを結ぶ方向が前記中心軸の水平面又は鉛直面に対する傾斜方向に一致された
請求項９に記載の音響装置。
【請求項１１】
前記キャップが前記中心軸に対して前方側に偏心した形状に形成された
請求項１０に記載の音響装置。
【請求項１２】
前記キャップの外面上における前記偏心点を通る所定の線分が、前記偏心点を基準にして一方が円弧状に形成され他方が前記偏心点から離隔するに従って曲率が大きくなる曲線に形成された
請求項１１に記載の音響装置。
【請求項１３】
前記所定の線分が左右方向における中央面に含まれる線分とされた
請求項１２に記載の音響装置。
【請求項１４】
前記偏心点を基準として後側の線分が円弧状に形成され、
前記偏心点を基準として前側の線分が前記偏心点から離隔するに従って曲率が大きくなる曲線に形成された
請求項１３に記載の音響装置。
【請求項１５】
水平面又は鉛直面に対する前記中心軸の傾斜角度を角度Ｘとし、
前記キャップの前記中心軸と前記偏心点とを結ぶ方向における一端と他端を結ぶ線分を結合線とし、
前記結合線の中点を通り前記中心軸の軸方向に延びる線分を線分Ｂとし、
前記中点を基準として前記線分Ｂを（９０°−角度Ｘ）／２の角度傾けた線分を線分Ｃとしたときに、
前記線分Ｃ上に前記偏心点が存在する
請求項１１に記載の音響装置。
【請求項１６】
前記振動板のエッジが取り付けられるフレームを有し、
前記フレームには音響装置の筐体に前記傾斜した状態で取り付けられる被取付部が設けられた
請求項９に記載の音響装置。
【請求項１７】
載置面に載置された第１の向きでの使用と前記第１の向きに対して約９０°異なる第２の向きでの使用とが可能にされた
請求項９に記載の音響装置。
【発明の詳細な説明】
【技術分野】
【０００１】
本技術は、磁気回路の駆動によって振動板が振動されて音声の出力が行われるスピーカーユニット及びこれを備えた音響装置についての技術分野に関する。
【先行技術文献】
【特許文献】
【０００２】
【特許文献１】特開２００６−３０３７７８号公報
【背景技術】
【０００３】
アンプによって増幅された音声を出力するスピーカーユニットがあり、スピーカーユニットが筐体に組み付けられることにより音響装置が構成される。スピーカーユニットには、例えば、マグネットとヨークとコイルを有する磁気回路により振動板が振動されるように構成されたものがある。【０００４】
このようなスピーカーユニットには、磁気回路の他に、磁気回路によって軸方向へ変動されるボビンとボビンの変動に伴って振動される振動板と振動板や磁気回路を保持するフレームとが設けられている。【０００５】
スピーカーユニットにおいては、音声の良好な出力状態を確保するために、音質の劣化を抑制したり所定の方向への指向特性を改善することが必要とされ、このような音声の良好な出力状態を確保するために、例えば、振動板をボビンの中心軸に対して偏心させたスピーカーユニットがある（例えば、特許文献１参照）。【０００６】
特許文献１に記載されたスピーカーユニットは、振動板として主振動板と副振動板が設けられ、副振動板が主振動板の内周部に取り付けられている。主振動板と副振動板はボビンの中心軸に対してそれぞれ所定の距離ごと偏心した形状に形成されている。【０００７】
このように特許文献１に記載されたスピーカーユニットにあっては、主振動板と副振動板がボビンの中心軸に対して偏心されることにより、共振の発生を抑制して広帯域化を図った上で音声の良好な出力状態を確保することが可能とされている。
【発明の概要】
【発明が解決しようとする課題】
【０００８】
ところで、上記したスピーカーユニットのように主振動板が偏心した形状に形成される場合には、主振動板を保持するフレームの形状も主振動板に応じた形状に形成する必要があり、その分、コストの高騰や設計の困難性を伴う可能性がある。【０００９】
また、スピーカーユニットは音声の出力方向が前方となるようにボビンの軸方向が前後方向となる向きで配置される場合が多いが、スピーカーユニットによってはボビンの軸方向が前後方向とは異なる方向で配置されるものもあり、このようなスピーカーユニットにおいても音声の良好な出力状態を確保する必要がある。【００１０】
そこで、本技術スピーカーユニット及び音響装置は、上記した問題点を克服し、コストの高騰を来すことなく音声の良好な出力状態を確保することを課題とする。
【課題を解決するための手段】
【００１１】
第１に、本技術に係るスピーカーユニットは、振動板と、磁気回路と、前記振動板の内周部が取り付けられ前記磁気回路により軸方向へ変動されるボビンと、前記振動板に取り付けられ前記ボビンの軸方向において前記ボビンに対向して位置されたキャップとを備え、前記ボビンの中心軸が水平面又は鉛直面に対して傾斜した状態で配置され、前記キャップが前記ボビンの中心軸に対して偏心した形状に形成されたものである。【００１２】
これにより、ボビンの中心軸が水平面又は鉛直面に対して傾斜した状態でキャップが中心軸に対して偏心される。【００１３】
第２に、上記したスピーカーユニットにおいては、前記中心軸と前記キャップの偏心点とを結ぶ方向が前記中心軸の水平面又は鉛直面に対する傾斜方向に一致されることが望ましい。【００１４】
これにより、キャップの簡素な構成により良好な指向特性が得られる。【００１５】
第３に、上記したスピーカーユニットにおいては、前記キャップが前記中心軸に対して前方側に偏心した形状に形成されることが望ましい。【００１６】
これにより、傾斜した方向において良好な指向特性が得られる。【００１７】
第４に、上記したスピーカーユニットにおいては、前記キャップの外面上における前記偏心点を通る所定の線分が、前記偏心点を基準にして一方が円弧状に形成され他方が前記偏心点から離隔するに従って曲率が大きくなる曲線に形成されることが望ましい。【００１８】
これにより、キャップが良好な指向特性が得られる形状に形成される。【００１９】
第５に、上記したスピーカーユニットにおいては、前記所定の線分が左右方向における中央面に含まれる線分とされることが望ましい。【００２０】
これにより、キャップの外面と左右方向における中央面とが交わる線分が全て曲線状になる。【００２１】
第６に、上記したスピーカーユニットにおいては、前記偏心点を基準として後側の線分が円弧状に形成され、前記偏心点を基準として前側の線分が前記偏心点から離隔するに従って曲率が大きくなる曲線に形成されることが望ましい。【００２２】
これにより、キャップの外面と左右方向における中央面とが交わる曲線状の線分である交線のうち一部の線分のみが曲率が変化する曲線になる。【００２３】
第７に、上記したスピーカーユニットにおいては、水平面又は鉛直面に対する前記中心軸の傾斜角度を角度Ｘとし、前記キャップの前記中心軸と前記偏心点とを結ぶ方向における一端と他端を結ぶ線分を結合線とし、前記結合線の中点を通り前記中心軸の軸方向に延びる線分を線分Ｂとし、前記中点を基準として前記線分Ｂを（９０°−角度Ｘ）／２の角度傾けた線分を線分Ｃとしたときに、前記線分Ｃ上に前記偏心点が存在することが望ましい。【００２４】
これにより、偏心点が交線の所定の位置に形成される。【００２５】
第８に、上記したスピーカーユニットにおいては、前記振動板のエッジが取り付けられるフレームを有し、前記フレームには音響装置の筐体に前記傾斜した状態で取り付けられる被取付部が設けられることが望ましい。【００２６】
これにより、スピーカーユニットが簡素な構造によって傾斜した状態になる。【００２７】
本技術に係る音響装置は、音声を出力するスピーカーユニットと前記スピーカーユニットが取り付けられた筐体とを備え、前記スピーカーユニットは、振動板と、磁気回路と、前記振動板の内周部が取り付けられ前記磁気回路により軸方向へ変動されるボビンと、前記振動板に取り付けられ前記ボビンの軸方向において前記ボビンに対向して位置されたキャップとを備え、前記ボビンの中心軸が水平面又は鉛直面に対して傾斜した状態で配置され、前記キャップが前記ボビンの中心軸に対して偏心した形状に形成されたものである。【００２８】
これにより、スピーカーユニットにおいて、ボビンの中心軸が水平面又は鉛直面に対して傾斜した状態でキャップが中心軸に対して偏心される。【００２９】
第１０に、上記した音響装置においては、前記中心軸と前記キャップの偏心点とを結ぶ方向が前記中心軸の水平面又は鉛直面に対する傾斜方向に一致されることが望ましい。【００３０】
これにより、キャップの簡素な構成により良好な指向特性が得られる。【００３１】
第１１に、上記した音響装置においては、前記キャップが前記中心軸に対して前方側に偏心した形状に形成されることが望ましい。【００３２】
これにより、傾斜した方向において良好な指向特性が得られる。【００３３】
第１２に、上記した音響装置においては、前記キャップの外面上における前記偏心点を通る所定の線分が、前記偏心点を基準にして一方が円弧状に形成され他方が前記偏心点から離隔するに従って曲率が大きくなる曲線に形成されることが望ましい。【００３４】
これにより、キャップが良好な指向特性が得られる形状に形成される。【００３５】
第１３に、上記した音響装置においては、前記所定の線分が左右方向における中央面に含まれる線分とされることが望ましい。【００３６】
これにより、キャップの外面と左右方向における中央面とが交わる線分が全て曲線状になる。【００３７】
第１４に、上記した音響装置においては、前記偏心点を基準として後側の線分が円弧状に形成され、前記偏心点を基準として前側の線分が前記偏心点から離隔するに従って曲率が大きくなる曲線に形成されることが望ましい。【００３８】
これにより、キャップの外面と左右方向における中央面とが交わる曲線状の線分である交線のうち一部の線分のみが曲率が変化する曲線になる。【００３９】
第１５に、上記した音響装置においては、水平面又は鉛直面に対する前記中心軸の傾斜角度を角度Ｘとし、前記キャップの前記中心軸と前記偏心点とを結ぶ方向における一端と他端を結ぶ線分を結合線とし、前記結合線の中点を通り前記中心軸の軸方向に延びる線分を線分Ｂとし、前記中点を基準として前記線分Ｂを（９０°−角度Ｘ）／２の角度傾けた線分を線分Ｃとしたときに、前記線分Ｃ上に前記偏心点が存在することが望ましい。【００４０】
これにより、偏心点が交線の所定の位置に形成される。【００４１】
第１６に、上記した音響装置においては、前記振動板のエッジが取り付けられるフレームを有し、前記フレームには音響装置の筐体に前記傾斜した状態で取り付けられる被取付部が設けられることが望ましい。【００４２】
これにより、スピーカーユニットが簡素な構造によって傾斜した状態になる。【００４３】
第１７に、上記した音響装置においては、載置面に載置された第１の向きでの使用と前記第１の向きに対して約９０°異なる第２の向きでの使用とが可能にされることが望ましい。【００４４】
これにより、第１の向きと第２の向きの使用の向きに応じてそれぞれ指向性に関する制御が可能になる。
【発明の効果】
【００４５】
本技術によれば、ボビンの中心軸が水平面又は鉛直面に対して傾斜した状態でキャップが中心軸に対して偏心されるため、傾斜した方向において指向方向を自在に制御することが可能になり、良好な指向特性が得られ、コストの高騰を来すことなく音声の良好な出力状態を確保することができる。【００４６】
尚、本明細書に記載された効果はあくまでも例示であって限定されるものではなく、他の効果があってもよい。
【図面の簡単な説明】
【００４７】
【図１】図２乃至図１１と共に本技術スピーカーユニット及び音響装置の実施の形態を示すものであり、本図は、音響装置をテレビとともに示す斜視図である。
【図２】音響装置の断面図である。
【図３】スピーカーユニットの斜視図である。
【図４】スピーカーユニットの断面図である。
【図５】キャップの拡大斜視図である。
【図６】キャップの左右方向における中央の断面における模式図である。
【図７】キャップの左右方向で切断した状態の各断面図である。
【図８】音圧に関する測定結果を示すグラフ図である。
【図９】音響装置が壁掛け状態で使用される例を示す断面図である。
【図１０】音響装置が載置面に載置された状態での各角度等を示す模式図である。
【図１１】音響装置が壁面に取り付けられた状態での各角度等を示す模式図である。
【発明を実施するための形態】
【００４８】
以下に、本技術スピーカーユニット及び音響装置を実施するための形態を添付図面に従って説明する。
【００４９】
＜音響装置の構成等＞
先ず、音響装置の構成等について説明する（図１及び図２参照）。
【００５０】
音響装置１は、例えば、テレビ台の上面やテーブルの上面等の載置面１００にテレビ２００等の他の電子機器とともに載置される（図１参照）。音響装置１は、例えば、テレビ２００の前方に配置され、音響装置１からはテレビ２００の音声が出力される構成にされている。
【００５１】
音響装置１はテレビ２００における画面２０１の幅方向に沿う横長の筐体２を備え、筐体２は上斜め前方を向くベース配置部３とベース配置部３の前縁に連続された前方を向くフロント配置部４とを有している。
【００５２】
ベース配置部３には上方に開口されたすり鉢状の凹状部５、５が左右に離隔して形成され、凹状部５、５には上下に開口された第１の配置孔６、６が形成されている（図２参照）。第１の配置孔６は円形状に形成され、開口縁が前方へ行くに従って下方に変位するように前下がりに傾斜されている。
【００５３】
ベース配置部３には凹状部５、５の後側にそれぞれ第２の配置孔７、７が形成されている。フロント配置部４には凹状部５、５の前側にそれぞれ第３の配置孔８、８が形成されている。
【００５４】
筐体２の内部における凹状部５、５の下方には前後左右に離隔して四つの取付部９、９、・・・が設けられている。
【００５５】
筐体２にはスピーカーユニット１０、１０とスピーカーユニット５０、５０、・・・とが取り付けられ、筐体２にスピーカーユニット１０、１０とスピーカーユニット５０、５０、・・・が取り付けられることにより音響装置１が構成されている。スピーカーユニット１０、１０はそれぞれ第１の配置孔６、６に配置され、二つのスピーカーユニット５０、５０はそれぞれ第２の配置孔７、７に配置され、他の二つのスピーカーユニット５０、５０はそれぞれ第３の配置孔８、８に配置されている。
【００５６】
スピーカーユニット１０は、例えば、ウーファーとして用いられ、スピーカーユニット５０は、例えば、ツイーターとして用いられている。第２の配置孔７、７に配置されたスピーカーユニット５０、５０からはそれぞれ略上方へ向けて音声が出力され、第３の配置孔８、８に配置されたスピーカーユニット５０、５０からはそれぞれ略前方へ向けて音声が出力される。
【００５７】
スピーカーユニット１０は高さがテレビ２００の下端から画面２０１の下端までの距離より小さくされ、視聴者がテレビ２００の画面２０１を視認したときにスピーカーユニット１０によって画面２０１が遮蔽されないように構成されている。
【００５８】
＜スピーカーユニットの構成＞
次に、第１の配置孔６に配置されたスピーカーユニット１０の構成について説明する（図２乃至図４参照）。
【００５９】
スピーカーユニット１０はフレーム１１と磁気回路１２とボビン１３とダンパー１４と振動板１５とキャップ１６を有している（図３及び図４参照）。
【００６０】
フレーム１１は金属材料等の剛性の高い材料によって全体として環状に形成され、軸方向における一方の端部が外形状が最も大きくされた取付保持部１１ａとして設けられ、軸方向における他方の端部が最も外形状が小さくされたプレート取付部１１ｂとして設けられている。フレーム１１には取付保持部１１ａとプレート取付部１１ｂの間に段差面状の結合部１１ｃが設けられている。
【００６１】
取付保持部１１ａは外形状が矩形状に形成されている。フレーム１１には取付保持部１１ａの四つの角部からそれぞれ取付保持部１１ａに対して直交する同じ方向へ突出された連結部１１ｄ、１１ｄ、・・・と連結部１１ｄ、１１ｄ、・・・からそれぞれ外方に突出された被取付部１１ｅ、１１ｅ、・・・とが設けられている。被取付部１１ｅ、１１ｅ、・・・は取付保持部１１ａに対して傾斜されている。
【００６２】
磁気回路１２はヨーク１７とマグネット１８とプレート１９とコイル２０を有している。
【００６３】
ヨーク１７は円柱状のボビン支持部１７ａとボビン支持部１７ａの軸方向における一端部から外方に張り出された取付突部１７ｂとを有している。マグネット１８は環状に形成され、内側にボビン支持部１７ａが挿通された状態で取付突部１７ｂに取り付けられている。プレート１９は環状に形成され、内側にボビン支持部１７ａが挿通された状態で両面がそれぞれマグネット１８とフレーム１１のプレート取付部１１ｂとに取り付けられている。
【００６４】
コイル２０はボビン１３の外周面に巻き付けられている。ボビン１３は円筒状に形成され、一部にヨーク１７のボビン支持部１７ａが挿入され、ボビン支持部１７ａに対して軸方向へ変動可能とされている。
【００６５】
ダンパー１４は内周部がボビン１３に結合され外周部がフレーム１１の結合部１１ｃに結合されている。
【００６６】
振動板１５は内周部がボビン１３の軸方向における一端部に取り付けられ、外周部であるエッジ１５ａがフレーム１１の取付保持部１１ａに取り付けられて保持されている。
【００６７】
キャップ１６はフレーム１１の内側への塵埃の侵入を抑制する機能等を有し、所謂ダストキャップとも称される。
【００６８】
キャップ１６はボビン１３の軸方向においてボビン１３の一端部に対向して位置され、ボビン１３側に開口された凹部が形成された形状にされている。
【００６９】
上記のように構成されたスピーカーユニット１０は、フレーム１１の被取付部１１ｅ、１１ｅ、・・・がそれぞれ筐体２に設けられた取付部９、９、・・・にネジ止め等によって取り付けられ、ボビン１３の中心軸Ｐが水平面Ｈ又は鉛直面Ｖに対して傾斜する状態で配置されている（図２参照）。
【００７０】
このように、スピーカーユニット１０には、フレーム１１に音響装置１の筐体２に傾斜した状態で取り付けられる被取付部１１ｅ、１１ｅ、・・・が設けられている。
【００７１】
従って、スピーカーユニット１０は、振動板１５が取り付けられるフレーム１１に設けられた被取付部１１ｄ、１１ｄ、・・・が筐体２に取り付けられることにより傾斜した状態で配置されるため、スピーカーユニット１０を簡素な構造によって容易に傾斜した状態で配置することができる。
【００７２】
スピーカーユニット１０は、ボビン１３の中心軸Ｐが鉛直面Ｖに対して、例えば、２７°傾いた状態で配置され、水平面Ｈ（載置面１００）に対して、例えば、６３°傾いた状態で配置されている。
【００７３】
スピーカーユニット１０において、コイル２０に駆動電流が供給されると、磁気回路１２において推力が発生してボビン１３が軸方向へ変動され、ボビン１３の駆動力が振動板１５に伝達されてボビン１３の変動に伴って振動板１５とキャップ１６が振動する。振動板１５とキャップ１６が振動するとアンプによって増幅された音声の出力が行われる。このときダンパー１４によってボビン１３の過度の変動が抑制される。
【００７４】
＜キャップの具体的形状＞
次に、キャップ１６の具体的な形状について説明する（図５乃至図７参照）。
【００７５】
キャップ１６は略円環状の環状ベース部２１と環状ベース部２１の孔２１ａを覆うように設けられた浅い容器状の覆い部２２とが樹脂材料又はゴム材料によって一体に形成されて成る。覆い部２２はボビン１３と反対側に凸の形状に形成され、覆い部２２にはボビン１３側に凹部２２ａが形成されている。尚、キャップ１６は振動板１５と一体に形成されていてもよい。
【００７６】
環状ベース部２１は振動板１５の内周部に取り付けられる部分である。
【００７７】
覆い部２２は音声の出力方向を向く外面２３とボビン１３に対向する内面２４とが略相似形状の緩やかな曲面状に形成され、厚みが略均一にされている（図６参照）。
【００７８】
覆い部２２はボビン１３の軸方向から見た状態において円形に対して偏心した形状に形成され、偏心点Ｓがボビン１３の中心軸Ｐに対して前側に変位した位置に存在する（図５及び図６参照）。外面２３と覆い部２２の左右方向における中央面との交線を交線Ｑとすると、偏心点Ｓは交線Ｑ上に存在する。また、交線Ｑの前端Ｆと交線Ｑの後端Ｒとを結ぶ結合線Ｌの中央を中点Ｍとすると、偏心点Ｓは中点Ｍより前側に位置されている。中点Ｍは中心軸Ｐの延長線上に存在する。
【００７９】
交線Ｑは、偏心点Ｓから前端Ｆまでが前端Ｆに近付くに従って曲率が大きくなる曲線Ｊとして形成され、偏心点Ｓから後端Ｒまでが円弧状の曲線Ｋとして形成されている。従って、円弧状の曲線Ｋは所定の基準点Ｇを中心とした円弧であり、基準点Ｇは偏心点Ｓを通り中心軸Ｐに平行な線分Ｎ上に存在する。
【００８０】
交線Ｑと中心軸Ｐの延長線との交点を交点Ｔとし、中点Ｍから交点Ｔまでの線分を線分Ｂとすると、偏心点Ｓは中点Ｍを中心として線分Ｂを角度Ｙ前側に傾けた線分Ｃ上に存在する。偏心点Ｓは線分Ｎに直交する平面が接する接点であり、覆い部２２のうち最も高い位置に存在する点である。角度Ｙは、例えば、（９０°−角度Ｘ）／２によって定義される。角度Ｘは中心軸Ｐの水平面Ｈ又は鉛直面Ｖに対する傾斜角度であり、角度Ｙは、例えば、角度Ｘが２７°の場合に３１．５°とされる。
【００８１】
キャップ１６は覆い部２２が上記のような形状に形成されており、交線Ｑは以下のようにして形成される。
【００８２】
先ず、中心軸Ｐの延長線を中点Ｍを基準として角度Ｙ傾斜させて偏心点Ｓを定める。次に、偏心点Ｓと後端Ｒとの間の曲線を、偏心点Ｓが中心軸Ｐに平行な線分Ｎに直交する平面に対する接点となる曲率の円弧となるように定めて曲線Ｋを形成する。次いで、偏心点Ｓと前端Ｆの間の曲線を前端Ｆに近付くに従って曲率が大きくなるように定めて曲線Ｊを形成し、交線Ｑを形成する。
【００８３】
覆い部２２は外面２３と前後の各断面との各交線が、交線Ｑと同様に、それぞれ前側の部分が前方へ行くに従って曲率が大きくなる曲線として形成され、後側の部分が円弧状の曲線として形成されている。
【００８４】
覆い部２２は外面２３と左右の各断面との各交線Ｄ、Ｄ、・・・、即ち、各断面における交線Ｄ１、Ｄ２、・・・がそれぞれ所定の各曲率の円弧状に形成されている（図７参照）。交線Ｄ１、Ｄ２、・・・は何れも交線Ｑとの交点が左右方向における中央点とされ、左右方向において対称にされている。
【００８５】
＜指向性に関する測定結果＞
以下に、スピーカーユニット１０から出力される音声の指向性に関する測定結果について説明する（図８参照）。
【００８６】
図８に示すグラフ図は、上図が偏心されていないキャップを有する従来のスピーカーユニットの指向性に関する測定結果であり、下図が偏心されたキャップ１６を有するスピーカーユニット１０の指向性に関する測定結果である。偏心されていない従来のキャップは外形状が円形状に形成され覆い部の頂点が中心とされ、頂点がボビンの中心軸の延長線上に存在する。
【００８７】
測定結果は、各周波数について、ボビンの中心軸（Ｐ）方向における音圧Ｗ１と中点（Ｍ）を基準として後方に３０°傾いた方向における音圧Ｗ２と中点（Ｍ）を基準として後方に６０°傾いた方向における音圧Ｗ３とを測定した結果である。横軸は周波数（ＫＨｚ）であり、縦軸は音圧（ｄｂ  ＳＰＬ）である。
【００８８】
図８に示すように、スピーカーユニット１０は従来のスピーカーユニットと比較して、音圧Ｗ１については特段の差異が生じなかったが、音圧Ｗ２について５ＫＨｚ〜１０ＫＨｚの周波数帯域において上昇し音圧Ｗ１との差が小さくなる結果が得られた（図８の破線Ａ内参照）。また、音圧Ｗ３については、５ＫＨｚ〜１０ＫＨｚの周波数帯域において上昇が見られた（図８の破線Ａ内参照）。さらに、音圧Ｗ３については、１０ＫＨｚ〜１５ＫＨｚの周波数帯域において上昇が見られた（図８の破線Ｂ内参照）。
【００８９】
従って、スピーカーユニット１０においては、特に、ボビン１３の中心軸Ｐに対して６０°傾いた方向における高い指向性が確保されている結果が得られた。
【００９０】
＜まとめ＞
以上に記載した通り、スピーカーユニット１０にあっては、水平面Ｈ又は鉛直面Ｖに対してボビン１３の中心軸Ｐが傾斜した状態で配置され、キャップ１６がボビン１３の中心軸Ｐに対して偏心した形状に形成されている。
【００９１】
従って、ボビン１３の中心軸Ｐが水平面Ｈ又は鉛直面Ｖに対して傾斜した状態でキャップ１６が中心軸Ｐに対して偏心され、フレーム１１の形状等を変更することなく傾斜した方向において指向方向を自在に制御することが可能になり、良好な指向特性が得られ、コストの高騰を来すことなく音声の良好な出力状態を確保することができる。
【００９２】
また、中心軸Ｐとキャップ１６の偏心点Ｓとを結ぶ方向が、中心軸Ｐの水平面Ｈ又は鉛直面Ｖに対する傾斜方向に一致されているため、キャップ１６の簡素な構成により製造コストの高騰を来すことなく良好な指向特性が得られ、聴感上の良好な定位感を確保することができる。
【００９３】
さらに、キャップ１６がボビン１３の中心軸Ｐに対して前方側に偏心した形状に形成されているため、傾斜した方向において良好な指向特性が得られ、傾斜した方向において聴感上の良好な定位感を確保することができる。
【００９４】
さらにまた、キャップ１６の外面２３上における偏心点Ｓを通る所定の線分である交線Ｑが、偏心点Ｓを基準にして一方が円弧状の曲線Ｊとして形成され他方が偏心点Ｓから離隔するに従って曲率が大きくなる曲線Ｊとして形成されている。
【００９５】
従って、キャップ１６が良好な指向特性が得られる形状に形成され、キャップ１６を複雑な形状に形成することなく聴感上の良好な定位感を確保して音声の良好な出力状態を確保することができる。
【００９６】
また、所定の線分である交線Ｑが左右方向における中央面に含まれる線分とされているため、キャップ１６の外面２３と左右方向における中央面とが交わる線分が全て曲線状になり、キャップ１６を複雑な形状に形成することなく聴感上の良好な定位感を確保することができる。
【００９７】
さらに、交線Ｑは、偏心点Ｓを基準として後側の線分が円弧状の曲線Ｋとして形成され、偏心点Ｓを基準として前側の線分が偏心点Ｓから離隔するに従って曲率が大きくなる曲線Ｊとして形成されている。
【００９８】
従って、キャップ１６の外面２３と左右方向における中央面とが交わる曲線状の線分である交線Ｑのうち一部の線分のみが曲率が変化する曲線になり、キャップ１６を複雑な形状に形成することなく聴感上のより良好な定位感を確保することができる。
【００９９】
さらにまた、キャップ１６においては、中点Ｍを基準として線分Ｂを（９０°−角度Ｘ）／２の角度傾けた線分を線分Ｃとしたときに、線分Ｃ上に偏心点Ｓが存在するため、偏心点Ｓが交線Ｑの所定の位置に形成され、キャップ１６の容易な設計により聴感上の良好な定位感を確保することができる。
【０１００】
音響装置１は、上記したように、載置面１００に載置された状態の第１の向きで使用される他、例えば、壁面３００に図示しないブラケットを介して取り付けられ壁掛け状態の第２の向きでの使用も可能とされている（図９参照）。従って、音響装置１は載置面１００に載置された状態と壁面３００に取り付けられた状態の約９０°異なる向きで使用される。
【０１０１】
上記のように、キャップ１６は偏心点Ｓが（９０°−角度Ｘ）／２の角度Ｙだけ線分Ｂを傾けた位置に存在する構成にされており、線分Ｃの載置面１００に対する傾斜角度（３１。５°）と中心軸Ｐに対する線分Ｃの傾斜角度が同じになると共に線分Ｃの壁面３００に対する傾斜角度（３１。５°）と中心軸Ｐに対する線分Ｃの傾斜角度も同じになる。
【０１０２】
従って、音響装置１が載置面１００に載置された状態で使用されるときと、載置面１００に載置されたときとは約９０°角度が異なる向きで音響装置１が壁面３００に取り付けられた状態で使用されるときとの指向性に関する制御が何れも容易になり、音響装置１の複数の使用状態を考慮した適切な設計を行うことができる。
【０１０３】
＜本技術＞
本技術は、以下のような構成にすることができる。
【０１０４】
（１）
振動板と、
磁気回路と、
前記振動板の内周部が取り付けられ前記磁気回路により軸方向へ変動されるボビンと、
前記振動板に取り付けられ前記ボビンの軸方向において前記ボビンに対向して位置されたキャップとを備え、
前記ボビンの中心軸が水平面又は鉛直面に対して傾斜した状態で配置され、
前記キャップが前記ボビンの中心軸に対して偏心した形状に形成された
スピーカーユニット。
【０１０５】
（２）
前記中心軸と前記キャップの偏心点とを結ぶ方向が前記中心軸の水平面又は鉛直面に対する傾斜方向に一致された
前記（１）に記載のスピーカーユニット。
【０１０６】
（３）
前記キャップが前記中心軸に対して前方側に偏心した形状に形成された
前記（２）に記載のスピーカーユニット。
【０１０７】
（４）
前記キャップの外面上における前記偏心点を通る所定の線分が、前記偏心点を基準にして一方が円弧状に形成され他方が前記偏心点から離隔するに従って曲率が大きくなる曲線に形成された
前記（３）に記載のスピーカーユニット。
【０１０８】
（５）
前記所定の線分が左右方向における中央面に含まれる線分とされた
前記（４）に記載のスピーカーユニット。
【０１０９】
（６）
前記偏心点を基準として後側の線分が円弧状に形成され、
前記偏心点を基準として前側の線分が前記偏心点から離隔するに従って曲率が大きくなる曲線に形成された
前記（５）に記載のスピーカーユニット。
【０１１０】
（７）
水平面又は鉛直面に対する前記中心軸の傾斜角度を角度Ｘとし、
前記キャップの前記中心軸と前記偏心点とを結ぶ方向における一端と他端を結ぶ線分を結合線とし、
前記結合線の中点を通り前記中心軸の軸方向に延びる線分を線分Ｂとし、
前記中点を基準として前記線分Ｂを（９０°−角度Ｘ）／２の角度傾けた線分を線分Ｃとしたときに、
前記線分Ｃ上に前記偏心点が存在する
前記（３）から前記（６）の何れかに記載のスピーカーユニット。
【０１１１】
（８）
前記振動板のエッジが取り付けられるフレームを有し、
前記フレームには音響装置の筐体に前記傾斜した状態で取り付けられる被取付部が設けられた
前記（１）から前記（７）の何れかに記載のスピーカーユニット。
【０１１２】
（９）
音声を出力するスピーカーユニットと前記スピーカーユニットが取り付けられた筐体とを備え、
前記スピーカーユニットは、
振動板と、
磁気回路と、
前記振動板の内周部が取り付けられ前記磁気回路により軸方向へ変動されるボビンと、
前記振動板に取り付けられ前記ボビンの軸方向において前記ボビンに対向して位置されたキャップとを備え、
前記ボビンの中心軸が水平面又は鉛直面に対して傾斜した状態で配置され、
前記キャップが前記ボビンの中心軸に対して偏心した形状に形成された
音響装置。
【０１１３】
（１０）
前記中心軸と前記キャップの偏心点とを結ぶ方向が前記中心軸の水平面又は鉛直面に対する傾斜方向に一致された
前記（９）に記載の音響装置。
【０１１４】
（１１）
前記キャップが前記中心軸に対して前方側に偏心した形状に形成された
前記（１０）に記載の音響装置。
【０１１５】
（１２）
前記キャップの外面上における前記偏心点を通る所定の線分が、前記偏心点を基準にして一方が円弧状に形成され他方が前記偏心点から離隔するに従って曲率が大きくなる曲線に形成された
前記（１１）に記載の音響装置。
【０１１６】
（１３）
前記所定の線分が左右方向における中央面に含まれる線分とされた
前記（１２）に記載の音響装置。
【０１１７】
（１４）
前記偏心点を基準として後側の線分が円弧状に形成され、
前記偏心点を基準として前側の線分が前記偏心点から離隔するに従って曲率が大きくなる曲線に形成された
前記（１３）に記載の音響装置。
【０１１８】
（１５）
水平面又は鉛直面に対する前記中心軸の傾斜角度を角度Ｘとし、
前記キャップの前記中心軸と前記偏心点とを結ぶ方向における一端と他端を結ぶ線分を結合線とし、
前記結合線の中点を通り前記中心軸の軸方向に延びる線分を線分Ｂとし、
前記中点を基準として前記線分Ｂを（９０°−角度Ｘ）／２の角度傾けた線分を線分Ｃとしたときに、
前記線分Ｃ上に前記偏心点が存在する
前記（１１）から前記（１４）の何れかに記載の音響装置。
【０１１９】
（１６）
前記振動板のエッジが取り付けられるフレームを有し、
前記フレームには音響装置の筐体に前記傾斜した状態で取り付けられる被取付部が設けられた
前記（９）から前記（１５）の何れかに記載の音響装置。
【０１２０】
（１７）
載置面に載置された第１の向きでの使用と前記第１の向きに対して約９０°異なる第２の向きでの使用とが可能にされた
前記（９）から前記（１６）の何れかに記載の音響装置。
【符号の説明】
【０１２１】
１…音響装置、２…筐体、１０…スピーカーユニット、１１…フレーム、１１ｅ…被取付部、１２…磁気回路、１３…ボビン、１５…振動板、１５ａ…エッジ、１６…キャップ、２３…外面、Ｈ…水平面、Ｖ…鉛直面、Ｐ…中心軸、Ｓ…偏心点、Ｑ…交線、Ｆ…前端、Ｒ…後端、Ｌ…結合線、Ｍ…中点、Ｂ…線分、Ｃ…線分
【図１】
2017183370.tif 000003
【図２】
2017183370.tif 000004
【図３】
2017183370.tif 000005
【図４】
2017183370.tif 000006
【図５】
2017183370.tif 000007
【図６】
2017183370.tif 000008
【図７】
2017183370.tif 000009
【図８】
2017183370.tif 000010
【図９】
2017183370.tif 000011
【図１０】
2017183370.tif 000012
【図１１】
2017183370.tif 000013
【国際調査報告】
2017183370.tif 000014
2017183370.tif 000015